(57)【要約】【課題】簡単な構造で、しかも機械的に強固で、荒っぽい破壊行為にも対抗することができ、且つキー穴を無くした補助ロック装置を提供する【解決手段】自動販売機本体１の側壁７に設けた固定カバー８と、固定カバー８にヒンジ結合１０され自動販売機の扉２のハンドルロック部４、ロックスライダー３を上下に動かすスライダーレバー５及びハンドルロック部に対する補助の錠としての２重錠６を覆う可動カバー９と、可動カバー９と扉２との間に設けられ可動カバー９をロックするキーレスロック部１１と、キーレスロック部１１を遠隔操作する信号の受信部１８とを備え、外部から操作信号を受信部１８に入力することにより、可動カバー９のロック操作をし得るようにする。【選択図】  図１
2004164003.tif 000002
【特許請求の範囲】
【請求項１】
自動販売機本体の側壁に設けた固定カバーと、固定カバーにヒンジ結合され自動販売機の扉のハンドルロック部、ロックスライダーを上下に動かすスライダーレバー及びハンドルロック部に対する補助の錠としての２重錠を覆う可動カバーと、可動カバーと扉との間に設けられ可動カバーをロックするキーレスロック部と、キーレスロック部を遠隔操作する信号の受信部とを備え、外部から操作信号を受信部に入力することにより、可動カバーのロック操作をし得るようにしたことを特徴とする自動販売機用補助ロック装置。
【請求項２】
キーレスロック部は、ハンドルロック部、スライダーレバーに対し可動カバーと固定カバーとのヒンジ結合と反対側に設けられていることを特徴とする請求項１記載の自動販売機用補助ロック装置。
【請求項３】
キーレスロック部は、ソレノイド機構により駆動制御される少なくとも２本のロッドを含む駆動制御部と、このロッドの端部に対向して配置され、ロッドをそれぞれ挿脱するための少なくとも２つの係合孔とを備えることを特徴とする請求項１又は２記載の自動販売機用補助ロック装置。
【請求項４】
駆動制御部を自動販売機の扉側に設け、係合孔を可動カバー側に設けたことを特徴とする請求項３記載の自動販売機用補助ロック装置。
【請求項５】
可動カバーと扉との間に自動販売機の電照部の下部を横方向に延びる保護板を挿入し、保護板はプラスチックと鋼板との積層体からなることを特徴とする請求項１〜４のいずれか１つに記載の自動販売機用補助ロック装置。
【発明の詳細な説明】
【０００１】
【発明の属する技術分野】
本発明は、自動販売機の扉に設けたロック機構を破壊行為から防護するための補助ロック装置に関する。
【０００２】
【従来の技術】
自動販売機は、一般に商品を収納する本体の一方の前部側縁にヒンジ結合された扉を備え、扉はヒンジ結合された側と反対側において縦方向に延びる扉ロック用のスライダーを有し、このスライダーはスライダーレバーを介してハンドルと連結し、ハンドルを操作することによりスライダーを上下させ、スライダーの上部、中部、下部に設けた係合穴に本体の引掛け具が掛けられることにより扉は閉まった状態を保持し、係合穴から引掛け具を外すことにより扉は開放可能になるようになっている。そしてハンドルに錠機構を内蔵させ、キーを使用して錠機構を施錠又は解錠し得るものである。従って自動販売機の扉前面にはハンドルロック部が露出している。この露出したハンドルロック部を狙い、ピッキングによる不正解錠、バールによる錠やスライダーレバーの破壊等によって扉をこじ開け、自動販売機内の現金を奪取するという犯罪行為が近年多発している。
【０００３】
上述のような特にハンドルロック部を狙った犯罪行為を未然に防止する対策は種々提案されている。その一つは、自動販売機の扉の表部の左右方向全長に亘る範囲において且つ上下方向に操作部を覆う幅を有するベース鉄板を設け、このベース鉄板の上に操作部のみを覆う補強鉄板を取り付け、更にこの補強鉄板の上にハンドル及びハンドル錠を覆うカバーを設けたものであり、そのカバーは一方の側縁で補強鉄板にヒンジ結合され、他縁は自動販売機本体の側壁に設けたカバー錠にロックピンにより施錠されるようになっている（特許文献１参照。）。
【０００４】
【特許文献１】
特開２００２−２３０６３３号公報（第３〜４頁、図４、図６）
【０００５】
【発明が解決しようとする課題】
上述の防護装置においては、ベース鉄板、補強鉄板及びカバーという３重構造を使用しているが、そのハンドル及びハンドル錠を覆うカバーには板材が使用され、そのロックは１点のみであり、更にカバー錠が剥き出しのためバールが入り易く耐える強度が小さいという欠点があり、種々の破壊行為に対して十分対抗し得るものではない。
【０００６】
本発明の課題は、従来のハンドルロック部の防護装置の複雑な構造を必要とせず、既存の自動販売機に対してもごく僅かの改造で取り付けることができ、しかも機械的に強固で、荒っぽい破壊行為にも対抗することができ、且つキー穴を無くした補助ロック装置を提供することにある。
【０００７】
【課題を解決するための手段】
上述の課題を解決するため、本発明においては、自動販売機本体の側壁に設けた固定カバーと、固定カバーにヒンジ結合され自動販売機の扉のハンドルロック部、ロックスライダーを上下に動かすスライダーレバー及びハンドルロック部に対する補助の錠としての２重錠を覆う可動カバーと、可動カバーと扉との間に設けられ可動カバーをロックするキーレスロック部と、キーレスロック部を遠隔操作する信号の受信部とを備え、外部から操作信号を受信部に入力することにより、可動カバーのロックを操作し得るようにしたものである。
【０００８】
キーレスロック部は、ハンドルロック部、スライダーレバーに対し可動カバーと固定カバーとのヒンジ結合と反対側に設けるのが好ましい。また、キーレスロック部は、ソレノイドにより駆動される少なくとも２本のロッドと、このロッドをそれぞれ挿脱するための少なくとも２つの係合孔とを備えるようにするのが好ましい。ロッドは自動販売機の扉側に設け、係合孔は可動カバー側に設けるのが好ましい。
【０００９】
更に、可動カバーと扉との間に自動販売機の電照部の下部を横方向に延びる保護板を挿入し、保護板をプラスチックと鋼板との積層体から構成すると、防護機能を高めることができる。
【００１０】
【発明の実施の形態】
次に本発明の実施の形態を図面に示す実施例について説明する。
【００１１】
図１において、ａは正面図、ｂは平面図、ｃは側断面図である。１は自動販売機本体で、その内部には販売すべき商品が収納されている。２は本体１の前面を覆う扉で、その一方の側縁で本体にヒンジ結合され、矢印で示すように開閉可能になっている（図の例では右開き）。扉２にはヒンジ結合された側と反対側の側縁近傍に、縦方向に上下に延びるロックスライダー３を備え、このロックスライダー３はその上部、中部、下部に設けた係合穴に本体の引掛け具が掛けられることにより扉２を本体１にロックするようになっている。４はハンドルロック部で錠機構を内蔵し、施錠状態では扉２内に埋め込まれたような状態にあり操作不能であるが、キーを使用して解錠することによりハンドルが扉前方へ飛び出し、ハンドルを操作可能な状態にすることができる。このハンドルはスライダーレバー５を介してロックスライダー３と連結され、ハンドルを操作することによりロックスライダー３と本体１との間のロック又はロック解除を行うことができる。６はハンドルロック部の錠の他に安全のため更に設ける２重錠で、通常多くの自動販売機に予めそのための取付け用の孔が設けられ、取付けを必要としない場合にはカバーで覆うようになっている。以上の構成は従来の自動販売機に使用されているものと特に変るところはない。
【００１２】
本体１の側壁で扉に対するヒンジが設けられた側と反対側の側壁７には、固定カバー８が設けられ、この固定カバー８の前縁には可動カバー９がヒンジ結合１０されている。この可動カバー９は扉２の前面において少なくともハンドルロック部４、スライダーレバー５、ロックスライダー３の一部及び２重錠６を覆うだけの大きさを持っており、板金などよりは、むくの鉄材から切り出した材料で例えば３０ｍｍ厚程度に形成するのが強度上好ましい。１１はキーレスロック部で、扉２の前面に取り付けられ、縦方向に若干の距離をおいて横方向に延びる２本のロッド１２、１３及びこのロッドを左右の方向に動かすソレノイド機構を有する駆動制御部１４と、可動カバー８にロッド１２、１３の端部とそれぞれ対向する位置に設けた２つの係合孔１５、１６とから形成されている。なお、駆動制御部１４は可動カバー９に設けた空所１７に入り込んで収容されている。１８は可動カバー９の近傍の扉２上に設けられた赤外線受光部で、外部の遠隔操作器から発せられる赤外線を受け、駆動制御部１４に送ってソレノイドを駆動してロッド１２、１３を係合孔１５、１６に挿入するか、係合孔１５、１６より引き出す動作を行う。
【００１３】
図２は図１に示す補助ロック装置を備えた自動販売機の正面図を示す。２０１は自動販売機本体、２０２は左端を本体にヒンジ結合された扉、２０３は上部電照部で、商品見本２０４、商品選択釦２０５が配置されている。２０６はコイン投入口、２０７は返却レバー、２０８は紙幣投入口、２０９は表示部、２１０は下部電照部、２１１は釣銭返却口、２１２は商品取出口である。コイン投入口２０６の近傍に本発明による可動カバー２１３が設けられ、この可動カバー２１３は本体の右側の側壁に取付けられた固定カバーにヒンジ結合２１４されている。この可動カバー２１３は扉２０２の内部右側に縦方向に設けられたロックスライダーのスライダーレバー、ハンドルロック部を覆うようになっている。２１５は可動カバー２１３の横に設けられた赤外線受光部である。
【００１４】
次に本発明装置の動作について説明する。
【００１５】
自動販売機の扉２が閉められ、ハンドルロック部４のハンドルを回し、スライダーレバー５を介してロックスライダー３を上下に動かし、本体の係合部に差し込み、ハンドルロック部４をキーで施錠することにより自動販売機の扉２はロックされた状態に保持され、キーをハンドルロック部４に差し込まない限り、扉２を開けることはできない。２重錠６が設けられている場合にはハンドルロック部の施錠と共に施錠される。次に可動カバー９を扉２の表面まで回転させ、遠隔操作器を赤外線受光部１８に向け赤外線を発すると、受光部１８は駆動制御部１４に制御信号を送り、ソレノイド機構を作動させ、ロッド１２、１３を矢印で示すようにそれぞれ係合孔１５、１６へ向け動かし、係合孔１５、１６へ挿入して可動カバー９をロックする。扉２を開ける場合には逆の操作をすればよい。即ち、遠隔操作器を赤外線受光部１８に向け赤外線を発すると、受光部は駆動制御部１４に制御信号を送り、ソレノイド機構によりロッド１２、１３を逆方向へ作動させ、ロッド１２、１３を係合孔１５、１６より引き出し、可動カバー９のロックを解除する。その結果可動カバー９は開くことができる。その上で２重錠６を解錠し、ハンドルロック部４にキーを挿入して回すことによりハンドルが扉表面より飛び出すから、ハンドルを回すことによりスライダーレバー５を介してロックスライダー３は本体１の係合部より解放され、扉２を開くことができる。
【００１６】
また上述の例では赤外線を利用した遠隔制御によるものを示したが、受信部に対しては赤外線に限らず電波を使用した無線式の遠隔制御も勿論可能である。
【００１７】
上述の例ではキーレスロック部の駆動制御部は扉側に設けたが、その結果ロッドを駆動するソレノイド機構への給電を扉への給電を利用して行うことができ、また受信部の配置の自由度が大となり好都合である。この駆動制御部を可動カバー側に設けることも可能であるが、可動カバーへの給電のための手段を必要とし、また受信部の配置位置が制限される。なお、左開き式の扉の場合には扉と自動販売機本体とのヒンジ部と反対側、即ち左側に固定カバーと可動カバーを設けることになる。また上述の例では受光部を補助ロック装置の直ぐ傍に配置したものを示したが、受光部は扉側の任意の個所に配置することができ、扉上、或いは例えば上部の電照部内に取り付けることもできる。この点は電波を使用した無線式の遠隔制御の場合も同様である。
【００１８】
図３は可動カバーと扉との間に更に保護板を挿入した実施例の正面図を示し、図２と同等部分には同符号を付してある。３１は保護板で、扉２０２の外側上に例えばビス止めにより固定され、コイン投入口２０６、紙幣投入口２０８、返金レバー２０７、表示部２０９、下部電照部２１０、受光部２１５を除いて自動販売機前面の上部電照部２０３の下方を横方向に覆うようになっている。この保護板３１の上に可動カバー、可動カバーロックプレート及び固定カバーからなる補助ロック装置３２を設ける。保護板はプラスチックと鋼板との積層体から構成するのが有利である。プラスチックとして例えばジシクロペンタジエンを原料とする成形が容易で高強度が得られる石油樹脂系素材（例えば日本ゼオン社製の商品名「ペンタム」）、鋼板としてステンレスを使用すると、成形が容易で、プラスチック板に装飾性を持たせることができ、また保護板全体として粘りが得られ、防盗性も高まる。
【００１９】
【発明の効果】
本発明によれば、ハンドルロック部、スライダーレバー及びロックスライダーの一部を本体の側壁及び扉の両者を利用した両持ち型の構造で覆うものであるから、強度が極めて大きく、種々の攻撃手段に対抗することができる。即ち、ハンドルロックを正面から攻撃する、ハンドルロック回りをドリルで穴あけする、扉と本体との隙間からバールを差し込む、ハンドルロックの側方を金切バサミで切り裂く、スライダーレバーを直接攻撃する等の手段に対抗でき、しかも可動カバーの開閉に錠、鍵を使用しないから錠を狙った破壊は不可能であり、補助ロック装置の構造を見ただけで犯意を消沈させ得るものであり、また簡単な構造であるから既存の自動販売機に対しても適用は容易であり、自動販売機に対する防盗効果を一段と高めることができる。
【図面の簡単な説明】
【図１】本発明の実施例の、ａは正面図、ｂは一部切欠き平面図、ｃは側面図である。
【図２】本発明の補助ロック装置を備えた自動販売機の正面図である。
【図３】保護板を使用した本発明の異なる実施例の正面図である。
【符号の説明】
１  自動販売機本体
２  扉
３  ロックスライダー
４  ハンドルロック部
５  スライダーレバー
６  ２重錠
７  側壁
８  固定カバー
９  可動カバー
１０  ヒンジ結合
１１  キーレスロック部
１２  ロッド
１３  ロッド
１４  駆動制御部
１５  係合孔
１６  係合孔
１７  空所
１８  受光部
２０１  自動販売機本体
２０２  扉
２０３  上部電照部
２０４  商品見本
２０５  選択釦
２０６  コイン投入口
２０７  返却レバー
２０８  紙幣投入口
２０９  表示部
２１０  下部電照部
２１１  釣銭返却口
２１２  商品取出口
２１３  可動カバー
２１４  ヒンジ結合
３１  保護板
３２  補助ロック装置
【図１】
2004164003.tif 000003
【図２】
2004164003.tif 000004
【図３】
2004164003.tif 000005